(57)【特許請求の範囲】
【請求項１】
電子機器のシャーシにモジュールのケースを取り付ける構造において、前記シャーシに雌ネジを設け、前記ケースに第１、第２の貫通孔を設け、前記第１、第２の貫通孔を貫通した取付ネジを前記ケースに回転可能に支持し、前記取付ネジの雄ネジを前記雌ネジに螺合し、前記取付ネジに溝を設け、前記ケースを切り起こし、弾性つめを設け、前記弾性つめの先端部を前記溝内に位置させたことを特徴とする電子機器のモジュール取付構造。
【請求項２】
前記弾性つめの先端部を前記取付ネジに接触させたことを特徴とする請求項１に記載の電子機器のモジュール取付構造。
【発明の詳細な説明】
【０００１】
【産業上の利用分野】
この発明は通信機器等の電子機器のシャーシに機能別に分割したモジュールを取り付ける構造に関するものである。
【０００２】
【従来の技術】
図３は従来の電子機器のモジュール取付構造を示す正断面図、図４は図３に示した電子機器のモジュール取付構造を示す側断面図である。図に示すように、電子機器のシャーシ５に雌ネジ５ａが設けられ、モジュールの薄板板金製のケース１に第１、第２の貫通孔１ｂ、１ｃが設けられ、貫通孔１ｂの内径は取付ネジ２本体の外径よりも若干大きく、また貫通孔１ｃの内径は取付ネジ２本体の外径よりも小さくかつ取付ネジ２の雄ネジ２ｂの外径よりも大きい。また、貫通孔１ｂ、１ｃを貫通した取付ネジ２がケース１に回転可能に支持され、雄ネジ２ｂが雌ネジ５ａに螺合され、取付ネジ２にドライバ用溝２ａが設けられ、取付ネジ２に溝２ｄが設けられ、溝２ｄに止め輪６が取り付けられ、ケース１と取付ネジ２との間にスプリングワッシャ３、平ワッシャ４が設けられている。
【０００３】
この電子機器のモジュール取付構造において、ケース１をシャーシ５に取り付けるには、まず取付ネジ２を貫通孔１ｂから挿入して、雄ネジ２ｂを貫通孔１ｃに挿入し、つぎに溝２ｄに止め輪６を取り付け、雄ネジ２ｂと雌ネジ５ａとの位置合わせを行ない、つぎにドライバ用溝２ａにドライバ（図示せず）の先端部を係合し、ドライバにより取付ネジ２を回転して雄ネジ２ｂを雌ネジ５ａに螺合する。
【０００４】
この電子機器のモジュール取付構造においては、溝２ｄに止め輪６が取り付けられているから、取付ネジ２は図４に示す状態から紙面上方に距離Ｌ1しか移動しないので、雄ネジ２ｂが雌ネジ５ａと螺合していない状態でも、雄ネジ２ｂが貫通孔１ｃから抜けることがないため、取付ネジ２が紛失するのを防止することができる。また、ケース１と取付ネジ２との間にスプリングワッシャ３が設けられているから、取付ネジ２が緩むのを防止することができる。また、ケース１と取付ネジ２との間に平ワッシャ４が設けられているから、ケース１が傷付くのを防止することができる。
【０００５】
【発明が解決しようとする課題】
しかし、このような電子機器のモジュール取付構造においては、ケース１をシャーシ５に取り付けるときに、取付ネジ２を貫通孔１ｂから挿入して、雄ネジ２ｂを貫通孔１ｃに挿入したのち、溝２ｄに止め輪６を取り付ける必要があるから、組立作業に手間がかかる。また、一般的にシャーシ５にケース１を取り付けるのに複数の取付ネジ２を使用するが、ケース１をシャーシ５から取り外すときに、シャーシ５から取り外した取付ネジ２は自由に回転することができしかも自由に軸方向に移動することができるから、雄ネジ２ｂの先端が雌ネジ５ａに引っかかることがあるので、ケース１の取外作業が困難である。
【０００６】
この発明は上述の課題を解決するためになされたもので、組立作業に手間がかからない電子機器のモジュール取付構造を提供することを目的とする。
【０００７】
また、モジュールのケースの取外作業が容易な電子機器のモジュール取付構造を提供することを目的とする。
【０００８】
【課題を解決するための手段】
この目的を達成するため、この発明においては、電子機器のシャーシにモジュールのケースを取り付ける構造において、前記シャーシに雌ネジを設け、前記ケースに第１、第２の貫通孔を設け、前記第１、第２の貫通孔を貫通した取付ネジを前記ケースに回転可能に支持し、前記取付ネジの雄ネジを前記雌ネジに螺合し、前記取付ネジに溝を設け、前記ケースを切り起こし、弾性つめを設け、前記弾性つめの先端部を前記溝内に位置させる。
【０００９】
この場合、前記弾性つめの先端部を前記取付ネジに接触させる。
【００１０】
【作用】
この電子機器のモジュール取付構造においては、ケースをシャーシに取り付けるときに、取付ネジを第１の貫通孔から挿入して、雄ネジを第２の貫通孔に挿入すれば、弾性つめの先端部が溝内に位置し、取付ネジがケースから抜けるのを防止することができる。
【００１１】
また、弾性つめの先端部を取付ネジに接触させたときには、ケースをシャーシから取り外すときに、シャーシから取り外した取付ネジの回転、軸方向の移動が摩擦によって規制されるから、雄ネジの先端が雌ネジに引っかかることがない。
【００１２】
【実施例】
図１はこの発明に係る電子機器のモジュール取付構造を示す正断面図、図２は図１に示した電子機器のモジュール取付構造を示す側断面図である。図に示すように、取付ネジ２に溝２ｃが設けられ、ケース１にコ字状のスリットが設けられ、スリットによって形成された舌状部が取付ネジ２側に曲げられて、ケース１に切り起こし弾性つめ１ａが設けられ、切り起こし弾性つめ１ａの先端部が溝２ｃ内に位置しており、切り起こし弾性つめ１ａの先端部が取付ネジ２に接触している。
【００１３】
この電子機器のモジュール取付構造において、ケース１をシャーシ５に取り付けるには、まず取付ネジ２を貫通孔１ｂから挿入して、雄ネジ２ｂを貫通孔１ｃに挿入し、つぎに雄ネジ２ｂと雌ネジ５ａとの位置合わせを行ない、つぎにドライバ用溝２ａにドライバの先端部を係合し、ドライバにより取付ネジ２を回転して雄ネジ２ｂを雌ネジ５ａに螺合する。
【００１４】
このような電子機器のモジュール取付構造においては、取付ネジ２は図２に示す状態から紙面上方に距離Ｌ2しか移動しないから、雄ネジ２ｂが雌ネジ５ａと螺合していない状態でも、雄ネジ２ｂが貫通孔１ｃから抜けることがないので、取付ネジ２が紛失するのを防止することができる。また、ケース１をシャーシ５に取り付けるときに、取付ネジ２を貫通孔１ｂから挿入して、雄ネジ２ｂを貫通孔１ｃに挿入すれば、切り起こし弾性つめ１ａが弾性変形したのちに元の形状に戻り、切り起こし弾性つめ１ａの先端部が溝２ｃ内に位置するから、組立作業に手間がかからない。また、切り起こし弾性つめ１ａの先端部が取付ネジ２に接触しているから、ケース１をシャーシ５から取り外すときに、シャーシ５から取り外した取付ネジ２の回転、軸方向の移動が摩擦によって規制されるので、雄ネジ２ｂの先端が雌ネジ５ａに引っかかることがないので、ケース１の取外作業を容易に行なうことができる。また、従来のように止め輪６を使用しないので、部品点数が少ない。
【００１５】
なお、上述実施例においては、１つの切り起こし弾性つめ１ａを設けたが、複数の弾性つめを設けてもよい。
【００１６】
【発明の効果】
以上説明したように、この発明に係る電子機器のモジュール取付構造においては、ケースをシャーシに取り付けるときに、取付ネジを第１の貫通孔から挿入して、雄ネジを第２の貫通孔に挿入すれば、取付ネジがケースから抜けるのを防止することができるから、組立作業に手間がかからない。
【００１７】
また、弾性つめの先端部を取付ネジに接触させたときには、ケースをシャーシから取り外すときに、雄ネジの先端が雌ネジに引っかかることがないから、ケースの取外作業を容易に行なうことができる。
【図面の簡単な説明】
【図１】この発明に係る電子機器のモジュール取付構造を示す正断面図である。
【図２】図１に示した電子機器のモジュール取付構造を示す側断面図である。
【図３】従来の電子機器のモジュール取付構造を示す正断面図である。
【図４】図３に示した電子機器のモジュール取付構造を示す側断面図である。
【符号の説明】
１…ケース
１ａ…切り起こし弾性つめ
１ｂ…第１の貫通孔
１ｃ…第２の貫通孔
２…取付ネジ
２ｂ…雄ネジ
２ｃ…溝
５…シャーシ
５ａ…雌ネジ
【図１】
0003678795.tif 000002
【図２】
0003678795.tif 000003
【図３】
0003678795.tif 000004
【図４】
0003678795.tif 000005